(57)【要約】【課題】  藺草が持つ湿分に対する吸放湿作用、ホルムアルデヒド及び二酸化硫黄の吸着作用などをより効果的に発揮できる藺草材の使用物を提供する。【解決手段】  藺草に破壊力を加えて破壊することにより藺草を細かくして粉状体や線状体とし、これらを塗料、結合材、紙、撚り糸、紡糸繊維、壁材、編織物、茣蓙などの材料として使用する。【選択図】        なし【特許請求の範囲】
【請求項１】
藺草に破壊力を加えて破壊することにより藺草を細かくしたことを特徴とする、
藺草材。
【請求項２】
藺草材が粉状体であることを特徴とする、
請求項１記載の藺草材。
【請求項３】
藺草材が線状体であることを特徴とする、
請求項１記載の藺草材。
【請求項４】
請求項１、２または３記載の藺草材を有することを特徴とする、
藺草材の使用物。
【請求項５】
請求項１、２または３記載の藺草材を有することを特徴とする、
塗料。
【請求項６】
請求項１、２または３記載の藺草材を有することを特徴とする、
結合材。
【請求項７】
請求項１、２または３記載の藺草材を有することを特徴とする、
紙。
【請求項８】
請求項１、２または３記載の藺草材を有することを特徴とする、
撚り糸。
【請求項９】
請求項７記載の紙で撚られていることを特徴とする、
撚り糸。
【請求項１０】
請求項９記載の撚り糸に請求項１、２または３記載の藺草材が付着していることを特徴とする、
撚り糸。
【請求項１１】
繊維形成能を有する高分子を含み、当該高分子が請求項１、２または３記載の藺草材を有することを特徴とする紡糸繊維。
【請求項１２】
請求項１、２または３記載の藺草材を有することを特徴とする、
壁材。
【請求項１３】
基材の表面に請求項１、２または３記載の藺草材が付着していることを特徴とする、
壁材。
【請求項１４】
請求項８、９または１０記載の撚り糸で編織成されていることを特徴とする、
編織物。
【請求項１５】
請求項９または１０記載の撚り糸で織成されていることを特徴とする、
茣蓙。
【請求項１６】
原料である藺草に破壊力を加えて破壊する工程を含むことを特徴とする、
藺草材の製造方法。
【発明の詳細な説明】
【技術分野】
【０００１】
本発明は、藺草材及びその使用物並びに藺草材の製造方法に関するものである。更に詳しくは、破壊力を加えることにより細かくして得られた藺草材及びその使用物並びに藺草材の製造方法に関する。
【背景技術】
【０００２】
藺草は、筒状の外皮と、その中にある紐状の柔らかい髄とを有する。藺草の香りは、森林浴効果と同様に副交感神経を活性化させ、リラクゼーション効果が有るといわれている。また、近年においては、藺草の吸放湿作用や藺草に含まれている成分による酸化防止作用及び抗菌作用なども注目されてきている。
このような藺草は、主として畳表、花茣蓙、座布団の表地などの藺草製品に使用されている。
【発明の開示】
【発明が解決しようとする課題】
【０００３】
藺草は、吸放湿作用、酸化防止作用、抗菌作用などを有し、これらの作用が注目されている。
しかしながら、従来から使用されていた藺草製品である畳表や茣蓙などにおいては、注目されている程には、吸放湿作用、酸化防止作用、抗菌作用などが十分に発揮されていないのが実情であった。
【０００４】
本発明者は、藺草の種々の特性や機能などを探求する過程において、藺草が新たに、ホルムアルデヒドと二酸化硫黄に対する吸着性にも優れていることを見い出し確認した。
特に、ホルムアルデヒドは、近年、問題になっている居住者の健康を害する住宅、いわゆるシックハウスの元凶といわれている物質である。
【０００５】
そこで、本発明者は、吸放湿性やホルムアルデヒド及び二酸化硫黄の吸着性などを高めるための要因を知見した。その一つは、藺草と空気との接触面積を広くすることである。他の一つは藺草の外皮は蝋質が覆っているので、外皮以外の部分、即ち内部をできるだけ広く空気と接触させることである。このことは、外皮を覆っている蝋質が上記吸放湿性や上記吸着性を妨げる要因の一つではないかと想定したことにもよる。
【０００６】
（本発明の目的）
本発明の第１の目的は、藺草が持つ湿分に対する吸放湿作用、ホルムアルデヒド及び二酸化硫黄の吸着作用などをより効果的に発揮できるようにすることにある。
本発明の第２の目的は、上記効果を発揮できるようになった藺草材の使用物を提供することにある。
【課題を解決するための手段】
【０００７】
上記課題を解決するための本発明の手段は次のとおりである。
第１の発明にあっては、  
藺草に破壊力を加えて破壊することにより藺草を細かくしたことを特徴とする、
藺草材である。
【０００８】
第２の発明にあっては、
藺草材が粉状体であることを特徴とする、
第１の発明に係る藺草材である。
【０００９】
第３の発明にあっては、
藺草材が線状体であることを特徴とする、
第１の発明に係る藺草材である。
【００１０】
第４の発明にあっては、
第１、第２または第３の発明に係る藺草材を有することを特徴とする、
藺草材の使用物である。
【００１１】
第５の発明にあっては、
第１、第２または第３の発明に係る藺草材を有することを特徴とする、
塗料である。
【００１２】
第６の発明にあっては、
第１、第２または第３の発明に係る藺草材を有することを特徴とする、
結合材である。
【００１３】
第７の発明にあっては、
第１、第２または第３の発明に係る藺草材を有することを特徴とする、
紙である。
【００１４】
第８の発明にあっては、
第１、第２または第３の発明に係る藺草材を有することを特徴とする、
撚り糸である。
【００１５】
第９の発明にあっては、
第７の発明に係る紙で撚られていることを特徴とする、
撚り糸である。
【００１６】
第１０の発明にあっては、
第９の発明に係る撚り糸に第１、第２または第３の発明に係る藺草材が付着していることを特徴とする、
撚り糸である。
【００１７】
第１１の発明にあっては、
繊維形成能を有する高分子を含み、当該高分子が第１、第２または第３の発明に係る藺草材を有することを特徴とする紡糸繊維である。
【００１８】
第１２の発明にあっては、
第１、第２または第３の発明に係る藺草材を有することを特徴とする、
壁材である。
【００１９】
第１３の発明にあっては、
基材の表面に第１、第２または第３の発明に係る藺草材が付着していることを特徴とする、
壁材である。
【００２０】
第１４の発明にあっては、
第８、第９または第１０の発明に係る撚り糸で編織成されていることを特徴とする、
編織物である。
【００２１】
第１５の発明にあっては、
第９または第１０の発明に係る撚り糸で織成されていることを特徴とする、
茣蓙である。
【００２２】
第１６の発明にあっては、
原料である藺草に破壊力を加えて破壊する工程を含むことを特徴とする、
藺草材の製造方法である。
【００２３】
上記において、藺草を有することを特徴とする使用物としては、例えば塗料、結合材、紙、撚り糸、紡糸繊維、壁材、編織物、茣蓙などを挙げることができるが、これらに限定するものではない。
また、編織物とは、編物と織物を含めたもののことをいい、その例としては、織布や編布をあげることができる。
【００２４】
原料である藺草に破壊力を加える方法としては、小麦の製粉などに使用されているミーリングマシンと構造が同一の粉砕機に通す方法、回転速度が異なり表面に多数の刃状の突条を有するローラー間を通す方法などがある。
前者によると、原料である藺草は外皮が粉状体となり、髄は微細粉となることが多く、それらの混合体（以下、粉状体という）となる。後者によると、外皮は線状体となり、髄は上記と同じく微細粉となることが多く、それらの混合体（以下、線状体という）となる。
従って、原料である藺草は捨てる部分はなく、全て利用でき、用途がなく廃棄されるような藺草も利用することができる。なお、破壊力を加える方法は、上記には限定されず、他の公知手段を用いることもできる。
【００２５】
塗料としては、ペイント、ラッカーなどを挙げることができ、そのバインダーとしては合成樹脂が多く使用される。しかし、上記には限定されない。
結合材としては、接着剤、粘着剤、布海苔、セメントなどを挙げることができる。しかし、上記には限定されない。
【００２６】
紙としては、例えば二種類あげられる。その一つは、洋紙、和紙、合成紙、再生紙などの製造工程において使用されるパルプまたは靱皮繊維を含む流動体の紙料に、上記本発明に係る粉状体または線状体などの藺草材を混合して製造したものである。
また、他の一つは、パルプまたは靱皮繊維を含まずに、粉状体または線状体などの藺草材だけを含む紙料を使用して製造したものである。
【００２７】
撚り糸としては、例えば四種類あげられる。その一つは、1.例えば木綿、麻、ビスコースレーヨン、アセテート、ポリアミド、ポリエステル、アクリル、ポリビニルアルコ−ル、ポリオレフィン、ポリウレタンなどの高分子のフィラメント（または単糸）に、上記本発明に係る粉状体または線状体などの藺草材を付着後または含有させた後、撚ったものである。
上記高分子のフィラメントに上記本発明に係る粉状体または線状体を含有させる比率は、例えば、高分子１００重量部に対して０．１〜０．３重量部であるが、これに限定されるものではない。
他の一つは、2.洋紙、和紙、合成紙、再生紙などの製造工程において使用されるパルプまたは靱皮繊維を含む流動体の紙料に、本発明に係る粉状体または線状体などの藺草材を混合して製造したものを、撚ったものである。
また、他の一つは、3.本発明に係る粉状体または線状体などの藺草材だけを含む紙料を使用して製造した紙を、撚ったものである。
更に他の一つは、4.上記2.、3.の撚り糸に、更にその表面に上記粉状体または線状体などの藺草材を付着させたものである。
【００２８】
壁材としては、例えば二種類あげられる。その一つは、壁材の原料に本発明に係る粉状体または線状体などの藺草材を含有させておき、その原料により、製造したものである。
また、他の一つは、通常の方法で製造された基材に本発明に係る粉状体または線状体を付着させたものである。
基材としては、紙、編織物、合成樹脂シートまたは板状体、その他の薄い板状体（木製または金属製）などを挙げることができる。
当該基材の表面には上記本発明に係る粉状体または線状体が通常は隙間なく全面にまたは一部に付着される。
付着する方法としては、接着剤を塗布した基材に、散布、吹付け、振動或いは静電気を利用することにより行われる。
【００２９】
編織物としては、本発明に係る上記各撚り糸を使用して編んだものまたは織ったものをなどを挙げることができる。
【００３０】
茣蓙としては、本発明に係る上記各撚り糸のうち、上記2.、3.、4.を使用して織成したものをなどを挙げることができる。
【００３１】
（作  用）
本発明に係る藺草材は、原料である藺草に破壊力を加えることにより、例えば粉状体や線状体のように細かくしたものである。
藺草材のうち空気に触れるのは、蝋質で覆われている外皮の表面（外面）よりもむしろ、外皮の内面や髄（ジミ、灯心ともいわれている）の破断面などである。上記外皮の内面や髄の破断面などは蝋質で覆われていないので、空気を遮断することなく、空気中の湿分に対する吸放湿性やホルムアルデヒド及び二酸化硫黄に対する吸着性を向上させることができる。
しかも、粉状体や線状体は細かく、その表面は凹凸状になっているため、重量が同じ場合、藺草そのものと比較して表面積が広く、そのことにより、空気中の湿分に対する吸放湿性やホルムアルデヒド及び二酸化硫黄に対する吸着性を更に向上させることができる。
【００３２】
本発明に係る藺草材の使用物は上記粉状体や線状体などの細かくなった藺草材を有している。
従って、藺草を細かくしないでそのまま使用したものと比較して、空気中の湿分に対する吸放湿性やホルムアルデヒド及び二酸化硫黄に対する吸着性を向上させることができる。
【００３３】
本発明に係る塗料は上記粉状体や線状体などの藺草材を有している。従って、上記塗料を、室内や車内などに使用すると、湿分に対する良好な吸放湿性を維持できる。更に、ホルムアルデヒド及び二酸化硫黄に対する吸着性にも優れているので、シックハウス問題の対策としても十分有用である。
【００３４】
本発明に係る結合材は上記粉状体や線状体などの藺草材を有している。従って、上記結合材が例えば布海苔であり、当該布海苔を室内の塗り壁（プラスター塗り壁など）の結合材として使用すると、上記塗料を室内に使用した場合と同じく優れた作用を奏する。
【００３５】
本発明に係る紙は上記粉状体や線状体などの藺草材を有している。そして、上記紙を襖や障子などの建具、壁紙、照明器具の笠などに使用すると、上記壁材や塗料などと同じく優れた作用を奏する。
【００３６】
本発明に係る撚り糸は上記粉状体や線状体などの藺草材を有している。そして、上記撚り糸で編織物を作り、衣類、寝装具、インテリア製品としてのカーテン、ロールスクリーン、カーペットなどに利用すると、上記藺草材により、室内もしくは人体表面の湿度を好ましい状態に維持することが可能であり、快適な生活の一助となり得る。
【００３７】
また、本発明に係る撚り糸は上記本発明に係る紙により撚られている。
上記紙は上記藺草材を有しているので、上記撚り糸と同様の優れた作用を奏する。
【００３８】
また、本発明に係る撚り糸は上記本発明に係る紙に上記粉状体や線状体などの藺草材を付着後、その紙を使用して撚られたものである。
上記撚り糸で編織物を作り、衣類、寝装具、インテリア製品としてのカーテン、ロールスクリーン、カーペットなどに利用すると、室内もしくは人体表面の湿度をより一層好ましい状態に維持することが可能であり、快適な生活の一助となり得る。
【００３９】
本発明に係る紡糸繊維は、繊維形成能を有する高分子を含み、当該高分子が上記粉状体や線状体などの藺草材を有している。そして、上記紡糸繊維で編織物を作り、衣類、寝装具、インテリア製品としてのカーテン、ロールスクリーン、カーペットなどに利用すると、上記撚り糸で編織物を作り、衣類や寝装具などに利用した場合とほぼ同じ優れた作用を奏することができる。
【００４０】
本発明に係る壁材は上記粉状体や線状体などの藺草材が表面に付着したものである。または、製造工程において、壁材の原料に含ませておいたものである。
従って、上記壁材を壁紙などとして室内で使用すると、当該壁紙により、湿分に対する良好な吸放湿性を維持できる。更に、ホルムアルデヒド及び二酸化硫黄に対する吸着性にも優れているので、近年、問題になっている居住者の健康を害する、いわゆるシックハウス問題の対策としても十分有用である。
【００４１】
本発明に係る茣蓙は上記撚り糸で織成されている。そして、上記茣蓙を畳表として畳を作り、また、そのまま敷物として室内で使用すると、上記壁材の場合とほぼ同じく優れた作用を奏することができる。
【００４２】
本発明に係る藺草材の製造方法は、原料である藺草に破壊力を加えて破壊する工程を含む。
上記のように藺草を破壊することにより、原料である藺草を長さ方向だけに切断しただけのものなどに比べて、空気と接触する表面積が広くなっている。
従って、空気中の湿分に対する吸放湿性を向上させることができる。また、ホルムアルデヒド及び二酸化硫黄に対する吸着性を有するようにすることができる。
しかも、藺草が粉砕または破砕することにより、蝋質で覆われていない外皮の内面や髄の部分も空気と接する面積が広くなり、空気中の湿分に対する吸放湿性を更に向上させることができる。また、ホルムアルデヒド及び二酸化硫黄に対する吸着性を更に向上させることができる。
【発明の効果】
【００４３】
本発明は上記構成を備え、次の効果を有する。
（ａ）本発明に係る藺草材は、原料である藺草に破壊力を加えることにより、例えば粉状体や線状体のように細かくしたものである。これにより、空気に触れる部分の表面積が、藺草を細かくしないでそのまま使用する場合と比較して広くなっており、しかも、蝋質で覆われていない外皮の内面や髄が露出するので、空気中の湿分に対する吸放湿性やホルムアルデヒド及び二酸化硫黄に対する吸着性を向上させることができる。
【００４４】
（ｂ）本発明に係る藺草材の使用物は上記粉状体や線状体などの細かくなった藺草材を有している。
従って、藺草を細かくしないでそのまま使用したものと比較して、空気中の湿分に対する吸放湿性やホルムアルデヒド及び二酸化硫黄に対する吸着性を向上させることができる。
【００４５】
（ｃ）本発明に係る塗料は上記粉状体や線状体などの藺草材を有している。従って、上記塗料を、室内や車内などに使用すると、湿分に対する良好な吸放湿性を維持できる。更に、ホルムアルデヒド及び二酸化硫黄に対する吸着性にも優れているので、シックハウス問題の対策としても十分有用である。
【００４６】
（ｄ）本発明に係る結合材は上記粉状体や線状体などの藺草材を有している。従って、上記結合材が例えば布海苔であり、当該布海苔を室内の塗り壁（プラスター塗り壁など）の結合材として使用すると、上記塗料を室内に使用した場合と同じく優れた作用を奏する。
【００４７】
（ｅ）本発明に係る紙は上記粉状体や線状体などの藺草材を有している。そして、上記紙を襖や障子などの建具、壁紙、照明器具の笠などに使用すると、上記壁材や塗料などと同じく優れた作用を奏する。
【００４８】
（ｆ）本発明に係る撚り糸は上記粉状体や線状体などの藺草材を有している。そして、上記撚り糸で編織物を作り、衣類、寝装具、インテリア製品としてのカーテン、ロールスクリーン、カーペット、茣蓙などに利用すると、上記藺草材により、室内もしくは人体表面の湿度を好ましい状態に維持することが可能であり、快適な生活の一助となり得る。
【００４９】
（ｇ）本発明に係る紡糸繊維は、繊維形成能を有する高分子を含み、当該高分子が上記粉状体や線状体などの藺草材を有している。そして、上記紡糸繊維で編織物を作り、衣類、寝装具、インテリア製品としてのカーテン、ロールスクリーン、カーペットなどに利用すると、上記撚り糸で編織物を作り、衣類や寝装具などに利用した場合とほぼ同じ優れた作用を奏することができる。
【００５０】
（ｈ）本発明に係る壁材は上記粉状体や線状体などの藺草材が表面に付着したものである。または、製造工程において、壁材の原料に含ませておいたものである。
従って、上記壁材を壁紙などとして室内で使用すると、当該壁紙により、湿分に対する良好な吸放湿性を維持できる。更に、ホルムアルデヒド及び二酸化硫黄に対する吸着性にも優れているので、近年、問題になっている居住者の健康を害する、いわゆるシックハウス問題の対策としても十分有用である。
【００５１】
（ｉ）本発明に係る藺草材の製造方法は、原料である藺草に破壊力を加えて破壊する工程を含む。
上記のように粉砕または破砕することにより、原料である藺草を長さ方向だけに切断しただけのものなどに比べて、空気と接触する表面積が広くなっている。
従って、空気中の湿分に対する吸放湿性を向上させることができる、ホルムアルデヒド及び二酸化硫黄に対する吸着性を有するようにすることができる。
しかも、藺草が粉砕または破砕することにより、蝋質で覆われていない外皮の内面や髄の部分も空気と接する面積が広くなり、空気中の湿分に対する吸放湿性を更に向上させることができる。また、ホルムアルデヒド及び二酸化硫黄に対する吸着性を更に向上させることができる。
【発明を実施するための最良の形態】
【００５２】
本発明に係る塗料の製造方法及びその使用例について説明する。
先ず、粉状体を作るために、原料である藺草を粉砕機に通す。この粉砕機は、小麦の製粉などに使用されているミーリングマシンと構造が同一である。このとき、上部の回転粉砕盤と下部部の回転粉砕盤の間隔は製粉の場合よりも幾らか大きくしてある。
上記原料である藺草は、長さ選別機による選別時に生じた端材と織成時に生じた端材を使用した。
これにより得られた粉状体をエポキシ樹脂系ワニス１００重量部に３〜５重量部混合した。このワニスを新築の洋間の板壁に塗布した。
上記洋間には建材の接着剤として尿素樹脂系の接着剤が使用されていたが、ホルムアルデヒドによる刺激臭を殆ど感じなかった。
また、冬季には、石油ストーブ（燃料として灯油を使用のもの）を使用したが、悪臭（二酸化硫黄などによるものが多いと思われる）を殆ど感じなかった。
これは藺草の粉状体がホルムアルデヒドや二酸化硫黄などに対する優れた吸着性を有していることによるものと思われる。
【００５３】
本発明に係る紙の製造方法及びその使用例について説明する。
楮の靱皮繊維を、水洗し、水を張った紙漉き船に入れ、ネベジ（ノリともいわれる。ノリとしては糊空木の皮から抽出した粘質体、ポリエチレングリコール、アルギン酸ソーダ、または、ポリ燐酸塩などが使用される。これらは、繊維の沈殿を防ぎ、分散を良くすることができる）を加えて、棒と馬鍬で十分に攪拌し靱皮繊維の分散液とする。
この分散液１００重量部に上記粉状体を２０重量部入れ、更に棒と馬鍬で十分に攪拌し紙料とする。
竹簀を用いて、紙漉き船の中の紙料を掬い、竹簀の上に万遍なく広げ、表面層を作る。必要ならば、上記表面層の上に、再度、紙料を掬くい、繊維を絡み合わせて所定の厚みになるようにする。これを竹簀から外し、脱水し、乾燥し、紙を得る。
【００５４】
上記紙を和室の障子紙、襖紙、当該和室に置かれる電気スタンドの笠紙などに使用した。
上記和間には建材の接着剤として尿素樹脂系の接着剤が使用されていたが、ホルムアルデヒドによる刺激臭を殆ど感じなかった。
また、冬季には、石油ストーブ（燃料として灯油を使用のもの）を使用したが、悪臭（二酸化硫黄などによるものが多いと思われる）を殆ど感じなかった。
これは藺草の粉状体がホルムアルデヒドや二酸化硫黄などに対する優れた吸着性を有していることによるものと思われる。
【００５５】
本発明に係る壁材の製造方法及びその使用例について説明する。
楮の靱皮繊維を使用して作った厚手の和紙を基材として、この基材の表面に接着剤を塗った。この基材の上に上記粉状体を静電塗装法により隙間なく植毛し壁材とし、和室に使用した。
この和室に、湿度が高い梅雨期に居住したところ、蒸し暑さを殆ど感じることはなく、快適な生活をおくることができた。また、ホルムアルデヒドや二酸化硫黄などに対する吸着性も上記塗料や和紙と同じく優れた作用を奏することができた。
【００５６】
本発明に係る織物の製造方法及びその使用例について説明する。
先ず、撚り糸を製造する。
三椏の靱皮繊維より作った薄手の和紙をスリット加工しテープとする。このテープに接着剤で処理した上記藺草の粉状体を付着し、油剤処理し、精紡機にかけテーパー状になっているノズルから出し、高周波乾燥を行い、撚り糸を得る。
この撚り糸を縦糸と横糸とし平織りの織物とした。
上記織物で被服や肌着などを作り着用したところ、汗などを十分に吸収し、その後放出し、快適な生活をおくることができた。
【００５７】
本発明に係る茣蓙の製造方法及びその使用例について説明する。
上記撚り糸を使用して織成し茣蓙を製造した。上記茣蓙を畳表として畳を作った。
この畳を和室に敷いて、湿度が高い梅雨期に居住したところ、蒸し暑さを余り感ぜず、快適な生活をおくることができた。また、ホルムアルデヒドや二酸化硫黄などに対する吸着性も上記塗料や和紙と同じく優れた作用を奏することができた。
【００５８】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
なお、本発明は図示の実施の形態に限定されるものではなく、特許請求の範囲の記載内において種々の変形が可能である。